(57)【要約】【課題】歯磨き剤の泡立ち性および使用感が共に優れる歯ブラシを提供する。【解決手段】本発明の歯ブラシ１は、植毛面１２に設けられた複数の植毛穴１３ａ，１３ｂに、複数本の用毛を束ねた毛束が植毛されたものであり、植毛面１２の中心を含む０．４〜１．０ｃｍ２の領域であり、植毛密度が４０％以上７０％以下且つ植毛本数が９００〜３０００本／ｃｍ２の高密度植毛領域１２ａと、高密度植毛領域１２ａの周囲に配置された、植毛密度が２０％以上４０％未満の低密度植毛領域１２ｂとを有する。【選択図】図２
2013042776.tif 000002
【特許請求の範囲】
【請求項１】
植毛面に設けられた複数の植毛穴に、複数本の用毛を束ねた毛束が植毛された歯ブラシにおいて、
植毛面の中心を含む０．４〜１．０ｃｍ２の領域であり、植毛密度が４０％以上７０％以下且つ植毛本数が９００〜３０００本／ｃｍ２の高密度植毛領域と、該高密度植毛領域の周囲に配置された、植毛密度が２０％以上４０％未満の低密度植毛領域とを有することを特徴とする歯ブラシ。
【請求項２】
前記低密度植毛領域における毛束はテーパー毛を有し、前記高密度植毛領域における毛束はストレート毛を有する、請求項１に記載の歯ブラシ。
【請求項３】
前記高密度植毛領域における毛束の毛丈Ｌｂは前記低密度植毛領域における毛束の毛丈Ｌａよりも長く、その毛丈差（Ｌｂ−Ｌａ）が０．５〜２．０ｍｍである、請求項１または２に記載の歯ブラシ。
【請求項４】
電気的な駆動により振動する、請求項１〜３のいずれか１項に記載の歯ブラシ。
【発明の詳細な説明】
【技術分野】
【０００１】
本発明は、歯ブラシに関する。
【背景技術】
【０００２】
歯ブラシにおいては、その基本性能である清掃性を向上させるために、例えば、植毛密度、用毛の毛丈、用毛の束（毛束）の径などを調整することがある。
例えば、特許文献１には、歯垢除去力を高めつつ柔らかい感触を得るために、植毛面の中央の領域（以下、「中央領域」という。）に植毛された毛束よりも、中央領域よりも外側の領域（以下、「外側領域」という。）に植毛された毛束の束径を小さく且つ毛丈を低くすることが開示されている。
特許文献２には、歯垢除去力とステイン除去性を向上させるために、中央領域の植毛密度を外側領域の植毛密度より高くし、中央領域の毛束の毛丈を外側領域の毛束の毛丈より低くすることが開示されている。
特許文献３には、歯垢除去力と電動駆動により振動させた際の清掃実感を高くするために、中央領域の植毛密度を外側領域の植毛密度より高くし、中央領域の毛束の毛丈を外側領域の毛丈より高くすることが開示されている。
【０００３】
通常、歯磨きにおいては、歯磨き剤を使用するが、歯磨き剤の泡立ちが速い程、泡径が小さい程、有効成分の歯肉等への浸透性が高くなる（以下、泡立ちの速さおよび泡径によって評価される泡立ちの程度のことを「泡立ち性」という。）。そのため、歯磨き剤自体の泡立ち性を向上させるだけでなく、歯ブラシに対しても歯磨き剤の泡立ち性を向上させるものが求められている。例えば、特許文献１〜３に記載の歯ブラシでは、歯磨き剤の泡立ち性を充分に高くすることは困難であった。
歯磨き剤の泡立ち性を向上させる歯ブラシとしては、植毛面に設けられた毛束全体の輪郭形状を特定したものが提案されている（特許文献４参照）。
しかしながら、特許文献４に記載の歯ブラシは、歯磨き時の使用感（口腔内の隅々まで磨ける刷掃感、歯肉への当たり心地等）が充分ではなかった。
【先行技術文献】
【特許文献】
【０００４】
【特許文献１】特開２００１−３５３０２５号公報
【特許文献２】登録実用新案第３１４６５４３号公報
【特許文献３】登録実用新案第３１４８３３７号公報
【特許文献４】特開２００３−２５０６３２号公報
【発明の概要】
【発明が解決しようとする課題】
【０００５】
そこで、本発明は、歯磨き剤の泡立ち性および使用感が共に優れる歯ブラシを提供することを目的とする。
【課題を解決するための手段】
【０００６】
本発明は、以下の態様を有する。
［１］植毛面に設けられた複数の植毛穴に、複数本の用毛を束ねた毛束が植毛された歯ブラシにおいて、植毛面の中心を含む０．４〜１．０ｃｍ２の領域であり、植毛密度が４０％以上７０％以下且つ植毛本数が９００〜３０００本／ｃｍ２の高密度植毛領域と、該高密度植毛領域の周囲に配置された、植毛密度が２０％以上４０％未満の低密度植毛領域とを有することを特徴とする歯ブラシ。
［２］前記低密度植毛領域における毛束はテーパー毛を有し、前記高密度植毛領域における毛束はストレート毛を有する、［１］に記載の歯ブラシ。
［３］前記高密度植毛領域における毛束の毛丈Ｌｂは前記低密度植毛領域における毛束の毛丈Ｌａよりも長く、その毛丈差（Ｌｂ−Ｌａ）が０．５〜２．０ｍｍである、［１］または［２］に記載の歯ブラシ。
［４］電気的な駆動により振動する、［１］〜［３］のいずれか１項に記載の歯ブラシ。
【発明の効果】
【０００７】
本発明の歯ブラシは、歯磨き剤の泡立ち性および使用感が共に優れる。
【図面の簡単な説明】
【０００８】
【図１】本発明の歯ブラシの一実施形態を示す側面図である。
【図２】図１の歯ブラシを構成するヘッド部の植毛面を示す平面図である。
【発明を実施するための形態】
【０００９】
本発明の歯ブラシの一実施形態について説明する。
図１および図２に、本実施形態の歯ブラシを示す。本実施形態の歯ブラシ１は、複数の用毛を束ねた毛束１１が植毛されたヘッド部１０と、ヘッド部１０に延設された長尺状のハンドル部２０（以下、ヘッド部とハンドル部とを合わせてハンドル体という。）とを備える。
【００１０】
ハンドル体は、全体として長尺状に一体成形されたものであり、例えば、樹脂を材料とし射出成形により得られるものである。
ハンドル体の材質としては、ポリプロピレン樹脂（ＰＰ）、ポリアセタール樹脂（ＰＯＭ）、ポリスチレン樹脂（ＰＳ）、ポリエチレンテレフタレート樹脂（ＰＥＴ）、アクリロニトリルブタジエンスチレン樹脂（ＡＢＳ）、ポレアリレート樹脂、ポリカーボネート樹脂、アクリロニトリルスチレン樹脂（ＡＳ）などが挙げられる。これらは１種を単独で使用してもよいし、２種以上を併用してもよい。
また、ハンドル体は、把持性を向上させるため、例えばエラストマーなどの柔軟な樹脂が部分的又は全体に被覆されていてもよい。
【００１１】
本実施形態においては、図２に示すように、ヘッド部１０の楕円形状の植毛面１２に、千鳥配列の多数の植毛穴１３ａ，１３ｂが形成され、それら植毛穴１３ａ，１３ｂに毛束が植毛されている。植毛穴１３ａ，１３ｂは開口部が円形状であり、ヘッド部１０の長手方向の軸線に対して対称に配列されている。
また、植毛面１２は、その中心を含む０．４〜１．０ｃｍ２の略六角形状の中央領域からなる高密度植毛領域１２ａと、高密度植毛領域１２ａの周囲に、植毛面１２の縁に沿って配置された環状の低密度植毛領域１２ｂとを有する。
高密度植毛領域１２ａの面積が前記下限値未満であると、泡立ち性が発揮されないことがあり、前記上限値を超えると、植毛面１２に低密度植毛領域１２ｂの場所を確保できなくなる。高密度植毛領域１２ａの面積は好ましくは０．４〜１．０ｃｍ２、より好ましくは０．４５〜０．８ｃｍ２である。
また、植毛面１２における高密度植毛領域１２ａの面積割合は４０〜７０％であることが好ましく、５０〜７０％であることがより好ましい。高密度植毛領域１２ａの面積割合が前記下限値以上であれば、泡立ち性がより高くなり、前記上限値以下であれば、使用感がより高くなる。
また、高密度植毛領域１２ａにおいては、ヘッド部１０の長手方向と平行方向の長さが、ヘッド部１０の基端から先端に向かう、植毛領域の長さの６０〜８５％であることが好ましい。また、高密度植毛領域１２ａにおいては、ヘッド部１０の短手方向と平行方向の長さが、植毛領域の幅の３５〜５０％であることが好ましい。なお、植毛領域は、最外側の各植毛穴１３ｂの穴縁の最外部分を結んだ際に得られる仮想線Ｔ２によって囲まれる領域である。
【００１２】
高密度植毛領域１２ａは、植毛密度が４０％以上７０％以下且つ植毛本数が９００〜３０００本／ｃｍ２の領域である。ここで、植毛本数とは、植毛面１２から突出している毛の数のことであり、用毛の本数の倍数である。また、高密度植毛領域１２ａの植毛密度は、［高密度植毛領域１２ａにおける植毛穴１３ａの面積の合計／高密度植毛領域１２ａの面積］×１００（％）の式で求められた値である。高密度植毛領域１２ａの植毛穴１３ａは、植毛面１２の縁に隣接する植毛穴１３ｂ以外の植毛穴であり、高密度植毛領域１２ａの範囲内に中心が配置されているものである。高密度植毛領域１２ａの面積は、植毛穴１３ａの各穴縁の最外部分を結んだ際に得られる仮想線Ｔ１によって囲まれる領域の面積である。この仮想線Ｔ１は隣接する植毛穴１３ａ，１３ａ同士の接線を構成する。
高密度植毛領域１２ａにおける植毛密度が前記下限値未満であると、泡立ち性が不充分になり、前記上限値を超えると、毛束１１が密集しすぎて撓みにくくなるため、使用感が損なわれる。
高密度植毛領域１２ａにおける植毛本数が前記下限値未満であると、泡立ち性が不充分になり、前記上限値を超えると、その本数に対応できる細さの用毛を作製することが困難になると共に、十分な清掃実感が得られにくくなる。
また、高密度植毛領域１２ａの植毛密度は４０〜７０％であることが好ましく、５０〜７０％であることがより好ましい。高密度植毛領域１２ａの植毛本数は９００〜３０００本／ｃｍ２であることが好ましく、９００〜２１００本／ｃｍ２であることがより好ましい。
【００１３】
低密度植毛領域１２ｂは、植毛密度が２０％以上４０％未満の領域である。ここで、低密度植毛領域１２ｂの植毛密度は、［低密度植毛領域における植毛穴１３ｂの面積の合計／低密度植毛領域１２ｂの面積］×１００（％）の式で求められた値である。低密度植毛領域１２ｂの面積は、仮想線Ｔ２と仮想線Ｔ３とによって囲まれる領域の面積である。仮想線Ｔ２は、植毛面１２の縁に隣接する植毛穴１３ｂのうち最外側の各植毛穴１３ｂの穴縁の最外部分を、ジグザグにならないように結んだ際に得られる線である。仮想線Ｔ３は、植毛穴１３ｂのうち最内側の各植毛穴１３ｂの穴縁の最内部分を、ジグザグにならないように結んだ際に得られる線である。
低密度植毛領域１２ｂにおける植毛密度が前記下限値未満であっても、前記上限値を超えても、使用感が損なわれる。
また、低密度植毛領域１２ｂの植毛密度は２０〜４０％であることが好ましく、３０〜４０％であることがより好ましい。
低密度植毛領域１２ｂにおける植毛本数は５００〜２５００本／ｃｍ２であることが好ましく、６００〜１５００本／ｃｍ２であることがより好ましい。低密度植毛領域１２ｂにおける植毛本数が前記下限値以上であれば、高密度植毛領域１２ａで泡立てた泡の保持性が高くなり、前記上限値以下であれば、使用感がより高くなる  。
【００１４】
毛束１１を構成する用毛としては、毛先に向かって漸次その径が小さくなる用毛（テーパー毛）、毛先の丸め部を除いて外径がほぼ同一である用毛（ストレート毛）、毛先がヘラ状、球状、先割れ状などの形状になっている用毛を用いることができる。
本実施形態の歯ブラシ１においては、泡立ち性と清掃性の向上の点から、高密度植毛領域１２ａにおける毛束１１はストレート毛を有し、低密度植毛領域１２ｂにおける毛束１１はテーパー毛を有することが好ましい。
高密度植毛領域１２ａにおける毛束１１中のストレート毛の割合は、泡立ち性がより高くなることから、７０％以上であることが好ましく、８０％以上であることがより好ましく、９０％以上であることが特に好ましい。
低密度植毛領域１２ｂにおける毛束１１中のテーパー毛の割合は、清掃性がより高くなることから、７０％以上であることが好ましく、８０％以上であることがより好ましく、９０％以上であることが特に好ましい。
【００１５】
用毛の材質としては、例えば、ポリアミド（例：６−１２ナイロン、６−１０ナイロン）、ポリエステル（例：ポリエチレンテレフタレート、ポリブチレンテレフタレート、ポリトリメチレンテレフタレート）、ポリオレフィン（例：ポリプロピレン）、エラストマー（例：オレフィン系、スチレン系）などの合成樹脂材料が挙げられる。これらの樹脂材料は、１種単独で又は２種以上を組み合わせて用いてもよい。
また、用毛は、芯部と該芯部の外側に設けられた少なくとも１層以上の鞘部とを有する多重芯構造であってもよい。
【００１６】
用毛の横断面形状は円形が好ましいが、円形に必ずしも限定されるものではなく、歯ブラシ１の目的用途に応じて任意の形状とすることができる。例えば、楕円形、多角形（例えば、三角形、四角形、五角形、六角形等。）、異形（例えば、星形、三つ葉のクローバー形、四つ葉のクローバー形等。）等とすることができる。
【００１７】
各用毛の太さは、特に限定されず、例えば、横断面が円形の場合、４〜８ｍｉｌ（１ｍｉｌ＝１／１０００ｉｎｃｈ＝０．０２５ｍｍ）が好ましい。前記下限値以上であれば、自立性が向上して清掃性がより高くなり、前記上限値以下であれば、毛束１１の毛腰が適度になり、当たり心地がより良好になる。
毛束１１を構成する用毛は、全てが同じ太さであってもよいし、２種以上の異なる太さの用毛が組み合わされてもよい。
【００１８】
用毛の毛丈は、大人用で８ｍｍ〜１３ｍｍ、子供用で６ｍｍ〜９ｍｍとすることが好ましい。また、口腔内の使用性や使用感の点から、選択された用毛の直径が小さいほど、用毛の毛丈を短くすることが好ましい。また、使用感や、刷掃感、清掃効果、耐久性などの目的に応じて、太さの異なる複数本の用毛を組み合わせて用いてもよい。
【００１９】
また、高密度植毛領域１２ａにおける毛束１１の毛丈Ｌｂは、低密度植毛領域１２ｂにおける毛束１１の毛丈Ｌａよりも長いことが好ましく、具体的には、その毛丈差（Ｌｂ−Ｌａ）が０．５〜２．０ｍｍであることが好ましく、０．５〜１．０ｍｍであることがより好ましい。ここで、毛束１１の毛丈とは、植毛面１２から毛束先端（最も長い用毛の先端）までの距離のことである。Ｌｂ−Ｌａが前記下限値以上であれば、毛先の可撓性が高くなり、泡立ち性がより高くなる。また、毛丈差の違いにより形成された段差が歯と歯肉との境目に密着しやすく、当たり心地がより良好になり、使用感がより向上する。しかし、Ｌａ−Ｌｂが前記上限値を超えると、歯肉への当たり心地が損なわれる傾向にある。
毛先の毛切り形状（毛先のプロファイル）としては、平切り、ドーム型、凸型、さざ波型のいずれであってもよいが、上記の毛丈差にしやすく、より高い泡立ち効果が望めることから、ドーム型、凸型、さざ波型が好ましい。
【００２０】
毛束１１の植毛方法としては、平線を打ち込む方法、熱溶着する方法など公知の方法を適用できる。
平線を打ち込む方法では、用毛を複数本束ねて二つ折りにし、その間に平線と呼ばれる抜止め具を挟んで植毛穴１３ａ，１３ｂに打ち込むことによって、毛束１１を各植毛穴１３ａ，１３ｂに植毛する。
平線は、植毛穴１３ａ，１３ｂの中心部を通り、且つ、植毛穴１３ａ，１３ｂを跨ぐように植毛穴１３ａ，１３ｂに打設されている。平線の材質としては、例えば、真鍮やステンレスなどの金属を挙げることができ、その他にも硬質プラスチックや生分解性プラスチックなどを挙げることができる。
平線の長さや幅、厚みは、毛束１１や植毛穴１３ａ，１３ｂに合わせて任意に調整すればよいが、通常、平線の長さは植毛穴１３ａ，１３ｂの直径よりも大きく、平線の幅は植毛穴１３ａ，１３ｂの深さよりも小さくされる。また、平線の厚みを調節することによって、毛束１１を植毛穴１３ａ，１３ｂ内に確実に固定して空隙を少なくすることができる。また、平線は、植毛穴１３ａ，１３ｂからの抜けを防ぐため、植毛穴１３ａ，１３ｂの両側からはみ出した部分の長さの合計が０．３〜０．６ｍｍであることが好ましい。
【００２１】
植毛穴１３ａ，１３ｂの開口面積は１．６ｍｍ2以下であることが好ましく、１．４ｍｍ２以下であることがより好ましい。植毛穴１３ａ，１３ｂの開口面積が１．６ｍｍ2以下であれば、毛束１１が細くなるため、撓み性が向上して使用感がより良好になる。
また、植毛穴１３ａ，１３ｂの直径は生産可能な最小径以上であることが好ましく、毛束１１の過度な撓みや疎毛感を抑制する点では、１．０ｍｍ以上であることがより好ましい。
【００２２】
本実施形態の歯ブラシ１は、電気的な駆動により振動する電動歯ブラシであってもよい。電気的な駆動により振動させながら歯ブラシ１を用いて歯磨きした場合には、泡立ちがより速くなると共に泡径がより小さくなり、泡立ち性がより向上する。
【００２３】
電動歯ブラシとしては、ハンドル部２０の基端側の内部に、電池と、各部の駆動を制御する制御回路とが水密に内蔵され、ハンドル部２０のヘッド部１０側の内部に、超音波振動や音波振動などの振動を発生させる振動子が内蔵されたものが一例として挙げられる。
電池は、一次電池（例えば、単３又は単４の乾電池）であってもよいし、二次電池（例えば、ニッケルカドミウム電池、ニッケル水素電池、リチウムイオン電池）であってもよい。
制御回路は、電池と接続されて、ハンドル部２０に設けられた操作ボタンを使用者が操作した際に、その操作に応じた制御信号を生成し、この制御信号に基づいて後述する振動子への電力供給、並びに振動子の駆動を制御するものである。
振動子は、配線を介して上記ハンドル部２０内の制御回路と電気的に接続され、電力が供給された際に振動するものである。
【００２４】
なお、電動歯ブラシは、上記制御回路を備えていなくてもよく、例えば、操作ボタンを使用者が操作した際に、電池から振動子へと電力を直接供給し、振動子が駆動するようになってもよい。
【００２５】
上記した実施形態の歯ブラシ１においては、低密度植毛領域１２ｂに植毛された毛束１１，１１同士が接触しにくく、口腔内で撓みやすくなっており、しかも高密度植毛領域１２ａに高密度に毛束１１が植毛されているため、使用感に優れる。また、高密度植毛領域１２ａにおける植毛密度が高く、植毛本数が多いため、歯磨き剤に空気を混入させやすく、且つ、細かい気泡を形成させやすくなっている。したがって、歯ブラシ１は泡立ち性に優れる。
【００２６】
なお、本発明は、上記実施形態に限定されない。
植毛穴１３ａ，１３ｂの開口部の形状は特に限定されず、例えば、楕円形、四角形などであってもよい。
植毛穴１３ａ，１３ｂの配列は、千鳥配列である必要はなく、格子配列や非対称な配列、その他どのような配列でもよい。ヘッド部１０の長手方向の軸線に対して植毛穴１３ａ，１３ｂの配列が対称である必要もない。
高密度植毛領域１２ａの形状は、例えば、楕円形状や長方形状であってもよい。
【実施例】
【００２７】
（実施例１）
植毛面の植毛穴に毛束を植毛したヘッド部を備える歯ブラシを作製した。植毛穴（内径１．４ｍｍ）の配列パターンは表１に示すものとした。
本例では、植毛面の中心を含む略六角形状の中央領域の植毛密度を５５％、植毛本数を２０９８本／ｃｍ２として高密度植毛領域とし、用毛を断面円形で４ｍｉｌのストレート毛とした。また、中央領域（高密度植毛領域）は、面積を０．４５ｃｍ２とし、ヘッド部の長手方向と平行方向の長さを１５．９ｍｍ、短手方向と平行方向の長さを、３．２ｍｍとした。
また、中央領域の外側に配置された外側領域の植毛密度を３５％、植毛本数を１４２４本／ｃｍ２として低密度植毛領域とし、用毛を断面円形で４ｍｉｌのストレート毛とした。
また、毛切り形状を平切りとして、中央領域の毛束と外側領域の毛束の毛丈差（Ｌｂ−Ｌａ）を０ｍｍとした。
【００２８】
（実施例２）
中央領域における植毛本数を９２５本／ｃｍ２として高密度植毛領域とし、中央領域および外側領域の用毛を断面星形で６ｍｉｌのストレート毛としたこと以外は実施例１と同様にして歯ブラシを作製した。
【００２９】
（実施例３）
中央領域における植毛本数を９９６本／ｃｍ２として高密度植毛領域とし、中央領域および外側領域の用毛を６ｍｉｌのテーパー毛としたこと以外は実施例１と同様にして歯ブラシを作製した。
【００３０】
（実施例４）
外側領域の用毛のみを断面星形で６ｍｉｌのストレート毛としたこと以外は実施例１と同様にして歯ブラシを作製した。
【００３１】
（実施例５）
毛切り形状をドーム型とし、毛丈差（Ｌｂ−Ｌａ）を１ｍｍとしたこと以外は実施例４と同様にして歯ブラシを作製した。
【００３２】
（実施例６）
毛切り形状を凸型とし、毛丈差（Ｌｂ−Ｌａ）を１ｍｍとしたこと以外は実施例４と同様にして歯ブラシを作製した。
【００３３】
（実施例７）
毛切り形状をさざ波型とし、毛丈差（Ｌｂ−Ｌａ）を１ｍｍとしたこと以外は実施例４と同様にして歯ブラシを作製した。
【００３４】
（実施例８）
中央領域における植毛本数を１３５１本／ｃｍ２として高密度植毛領域とし、中央領域の用毛を断面円形で５ｍｉｌのストレート毛とし、外側領域の用毛を６ｍｉｌのテーパー毛としたこと以外は実施例１と同様にして歯ブラシを作製した。
【００３５】
（実施例９）
毛切り形状を凸型とし、毛丈差（Ｌｂ−Ｌａ）を１ｍｍとしたこと以外は実施例８と同様にして歯ブラシを作製した。
【００３６】
（実施例１０）
毛切り形状を内側さざ波型とし、毛丈差（Ｌｂ−Ｌａ）を１ｍｍとしたこと以外は実施例８と同様にして歯ブラシを作製した。
【００３７】
（比較例１）
植毛穴の配列パターンを表１に示すものに変更し、中央領域の植毛密度を３６％、中央領域の植毛本数を１３１１本／ｃｍ２に、中央領域の面積を０．４１ｃｍ２にしたこと以外は実施例１と同様にして歯ブラシを作製した。
【００３８】
（比較例２）
植毛穴の配列パターンを表１に示すものに変更し、外側領域の植毛密度を５０％にしたこと以外は実施例１と同様にして歯ブラシを作製した。
【００３９】
（比較例３）
中央領域の植毛本数を６７６本／ｃｍ２、中央領域および外側領域の用毛を断面円形で７ｍｉｌのストレート毛にしたこと以外は実施例１と同様にして歯ブラシを作製した。
【００４０】
（比較例４）
中央領域の植毛本数を５６９本／ｃｍ２、中央領域および外側領域の用毛を断面星形で８ｍｉｌのストレート毛にしたこと以外は実施例１と同様にして歯ブラシを作製した。
【００４１】
（比較例５）
中央領域の植毛本数を３７３３本／ｃｍ２、中央領域および外側領域の用毛を断面円形で３ｍｉｌのストレート毛にしたこと以外は実施例１と同様にして歯ブラシを作製した。
【００４２】
【表１】
2013042776.tif 000003
【００４３】
実施例１〜１０および比較例１〜５の歯ブラシについて、以下に記載する方法により、泡立ち速さ、泡径、使用感を評価した。評価結果を表２に示す。
【００４４】
［泡立ち速さ］
歯ブラシの毛先面に１ｇの歯磨きペーストを載せ、刷掃板（幅２０ｍｍ、厚さ１４ｍｍ)の表面を刷掃し、刷掃板から泡が溢れ出して落下するまでの刷掃回数を測定した。刷掃回数が少ない程、泡立ちが速く、泡立ち性に優れる。
評価基準は、刷掃回数が２０回以下のものを◎、２１〜４０回のものを○、４１〜６０回のものを△、６１回以上のものを×とした。
【００４５】
［泡径］
歯ブラシの毛先面に１ｇの歯磨きペーストを載せ、刷掃板（幅２０ｍｍ、厚さ１４ｍｍ)の表面を３００回刷掃した。そして、泡の直径を、実体顕微鏡を用いて測定した。泡径が小さい程、泡立ち性に優れる。
評価基準は、泡径が２００μｍ以下のものを◎、２０１〜２２０μｍのものを○、２２１〜２４０μｍのものを△、２４１μｍ以上のものを×とした。
【００４６】
［使用感評価］
専門パネラー１０名により、「口腔内の隅々まで磨ける刷掃感」と「歯肉への当たり心地」について、官能評価を行った。評価基準は、１０人のパネラーのうち９人以上が良いとしたものを◎、６〜８人が良いとしたものを○、３〜５人が良いとしたものを△、２人以下が良いとしたものを×とした。
【００４７】
［総合評価］
上記泡立ち性および使用感より判定される総合評価は以下の通りである。
◎：泡立ちがとても良く、使用感もとても良い。
○：泡立ちがかなり良く、使用感もかなり良い。
△：泡立ちはやや良いが、使用感があまり良くない。
×：泡立ちが悪く、使用感もあまり良くない。
【００４８】
【表２】
2013042776.tif 000004
【００４９】
中央領域の植毛密度が４０％以上７０％以下且つ植毛本数が９００〜３０００本／ｃｍ２で高密度植毛領域になっていると共に外側領域の植毛密度が２０％以上４０％未満で低密度植毛領域になっている実施例１〜１０の歯ブラシは、泡立ち性および使用感に優れていた。
中央領域の植毛密度が４０％未満の比較例１の歯ブラシは、泡立ち性および使用感共に不充分であった。
外側領域の植毛密度が４０％を超えていた比較例２の歯ブラシは、使用感が不充分であった。
中央領域における植毛本数が９００本／ｃｍ２未満の比較例３，４の歯ブラシは、泡立ち性および使用感共に不充分であった。
中央領域における植毛本数が３０００本／ｃｍ２を超えていた比較例５の歯ブラシは、使用感が不充分であった。
【符号の説明】
【００５０】
１  歯ブラシ
１０  ヘッド部
１１  毛束
１２  植毛面
１２ａ  高密度植毛領域
１２ｂ  低密度植毛領域
１３ａ，１３ｂ  植毛穴
２０  ハンドル部
【図１】
2013042776.tif 000005
【図２】
2013042776.tif 000006